(57)【特許請求の範囲】
【請求項１】
生体の呼吸気中の炭酸ガスの濃度または有無を測定する呼吸気中の炭酸ガス測定用センサにおいて、
筒状に形成された筒体の左右両面が開口され、上下面に前記呼吸気が通過する孔部が形成されたエアウェイケースと、
前記左右両面の開口部の内外を気密に保つように該開口部に設けられた透光性の１対の薄膜と、
該１対の薄膜の外側に設けられ、同一光軸上に対向配置された発光素子及び受光素子を支持する支持部材とからなり、
前記エアウェイケースを前記生体の鼻孔の下部に装着したときに、前記呼吸気が前記光軸を横切って通過可能とし、
一方の側は前記エアウェイケースの上面に取り付けられ他方の側は２本に分かれて前記生体の２つの鼻孔にそれぞれ挿入される鼻チューブを設け、該鼻チューブと前記エアウェイケースの内部と前記エアウェイケースの前記上下面の孔部とにより前記呼吸気が通過するＹ字状の通路を形成したことを特徴とする呼吸気中の炭酸ガス測定用センサ。
【請求項２】
前記１対の薄膜は、前記エアウェイケースの前記左右両面の開口部と１対の挟持部材との間でそれぞれ挟持され、前記支持部材は、前記発光素子及び前記受光素子をそれぞれ支持する１対の支持部材であり、該１対の支持部材は前記挟持部材の外側端部にそれぞれ嵌合されていることを特徴とする請求項１記載の呼吸気中の炭酸ガス測定用センサ。
【請求項３】
前記薄膜は、前記呼吸気中の水分がその表面に結露することを防止する防曇膜であることを特徴とする請求項１または２記載の呼吸気中の炭酸ガス測定用センサ。
【請求項４】
前記１対の前記支持部材は、前記１対の前記狹持部材に係止部材を介して着脱可能に係止されることを特徴とする請求項２または３記載の呼吸気中の炭酸ガス測定用センサ。
【請求項５】
前記エアウェイケースに、口からの呼吸気を該エアウェイケース内に導入する呼吸気ガイド部を設けたことを特徴とする請求項１乃至４のうちいずれか１つに記載の呼吸気中の炭酸ガス測定用センサ。
【発明の詳細な説明】
【０００１】
【発明の属する技術分野】
本発明は、生体の鼻孔または口から排出される呼吸気中の炭酸ガスの濃度または有無を測定する呼吸気中の炭酸ガス測定用センサに係り、特に簡単で小型の構造で測定精度及び応答性を向上させることのできる呼吸気中の炭酸ガス測定用センサに関する。
【０００２】
【従来の技術】
一般に、生体の呼吸ガス中の炭酸ガス濃度を光学的に測定する場合、円筒状に形成されたエアウェイアダプタ内に呼吸ガスを通過させ、発光素子から呼吸ガスに赤外線を照射して、呼吸気中の炭酸ガスによる光の吸収に応じた電圧を受光素子により検出して、炭酸ガス濃度を測定している。
【０００３】
このような従来の炭酸ガス濃度測定装置の一例の概略の構成を図１６に示す。図１６において、ほぼ円筒状に形成され呼吸ガスが通過するエアウェイアダプタ１０１の一端１０１ａは、患者の気管に挿管されたチューブに接続されるようになっており、他端１０１ｂは人口呼吸器などの呼吸回路のＹピースに接続されるようになっている。エアウェイアダプタ１０１の中間部は断面が矩形状となっており、中間部の対向する２面にはそれぞれ同心上に円形の窓１０１ｃ、１０１ｄが形成されている。そしてエアウェイアダプタ１０１の中間部にはセンサ本体１０２が着脱可能に装着されている。
【０００４】
センサ本体１０２はほぼ角筒状に形成されており、中間部にはエアウェイアダプタ１０１の中間部が嵌合装着されるＵ字状の切欠部が形成されている。そして切欠部の対向する２面はそれぞれエアウェイアダプタ１０１の窓部１０１ｃ、１０１ｄに接している。センサ本体１０２内の切欠部に対して一方の側には赤外光を発光する発光素子１０３が配置されている。
【０００５】
センサ本体１０２内の切欠部に対して発光素子１０３の反対側には、炭酸ガスにより吸収される波長の光のみを吸収するフィルタ１０４及び受光素子１０５が配置されている。また発光素子１０３及び受光素子１０５はリード線１０６を介してモニタ本体１０７に接続されている。なお、エアウェイアダプタ１０１の中間部はセンサ本体１０２に対して着脱可能となっている。
【０００６】
上記のように構成された従来の炭酸ガス濃度測定装置において、発光素子１０３から照射された光は、窓部１０１ｃ、エアウェイアダプタ１０１内の呼吸ガス、窓部１０１ｄ、フィルタ１０４を透過して受光素子１０５に入射する。そして炭酸ガス濃度に応じた光量が受光素子１０５で検出され、受光素子１０５の出力信号はモニタ本体１０７に入力され、炭酸ガス濃度として表示される。
【０００７】
上記の従来例では、呼吸ガスが通過するエアウェイアダプタ１０１をセンサ本体１０２に取り付ける構造となっているが、他の従来例としてサンプリングチューブをモニタ本体１０７内に設置されたセンサ本体に接続する構造のものも知られている。この場合は、呼吸ガスが通過するエアウェイアダプタ１０１に呼吸ガスの一部を吸引するサンプリングチューブの一端が接続され、他端はモニタ本体１０７に接続されている。モニタ本体１０７内にはポンプが設けられており、吸引した呼吸ガスをモニタ本体１０７内のセンサ本体に導いている。
【０００８】
さらに他の呼吸検出装置としては、ＵＳＰ  Ｎｏ．５，０９９，８３６及びＵＳＰ  Ｎｏ．５，３３５，６５６により開示された提案が知られている。ＵＳＰＮｏ．５，０９９，８３６により開示された提案は、図１７に示す一部破断上面図のように構成されている。図１７において、管状のネーザルチューブ２０１の内部は軸方向に形成された隔壁２０２によって、第１の分離室２０３と第２の分離室２０４とに仕切られている。隔壁２０２の一端はネーザルチューブ２０１の内面の一方の側に接続されており、他端は他方の側に接続されていて、２つの第１の分離室２０３、第２の分離室２０４を気密に仕切っている。ネーザルチューブ２０１の外周にはそれぞれ鼻孔に挿入される鼻チューブ２０５、２０６が突出して平行に設けられており、鼻チューブ２０５、２０６内は延設された隔壁２０２によって分離され、それぞれ分離通路２０５ａ、２０５ｂ、２０６ａ、２０６ｂが形成されている。そして分離通路２０５ａ、２０６ａはそれぞれ第１の分離室２０３に連通しており、分離通路２０５ｂ、２０６ｂはそれぞれ第２の分離室２０４に連通している。
【０００９】
ネーザルチューブ２０１の第１の分離室２０３側の一端には酸素ガス供給チューブ２０７が接続されており、第２の分離室２０４側の一端には呼吸ガスの圧力を検出する検出チューブ２０８が接続されている。酸素ガス供給チューブ２０７は図示しない圧力調整バルブを介して酸素ボンベに接続されており、検出チューブ２０８は図示しない圧力トランスデューサに接続されている。
なお、検出チューブ２０８をサンプリングチューブとして用い、図示しない炭酸ガス検出用モニタに接続して呼気中の炭酸ガス濃度を測定することもある。
【００１０】
上記のように構成された呼吸ガスの検出装置においては、酸素ボンベから酸素ガス供給チューブ２０７を介して供給された酸素は、第１の分離室２０３、鼻チューブ２０５、２０６の分離通路２０５ａ、２０６ａを通って鼻孔内に供給される。また鼻孔から排気される呼気の一部は分離通路２０５ｂ、２０６ｂ、第２の分離室２０４を通って検出チューブ２０８に排出され、呼吸ガスの圧力、炭酸ガス濃度などが検出される。
【００１１】
ＵＳＰ  Ｎｏ．５，３３５，６５６に開示された提案は図１８に示すように、鼻に近接した皮膚表面に装着し、鼻孔に治療用ガスを送給するとともに呼吸気中の炭酸ガス濃度を測定するための、チューブ状部分を有する細長い中空体３０１に隔壁３０２を設けて、吸気室３０３と呼気室３０４とを形成したものである。中空体３０１の一端には吸気室３０３に治療用ガスを供給するチューブ３０５が接続されており、中空体３０１の他端には呼気室３０４から呼気を吸引するチューブ３０６が接続されている。
【００１２】
吸気室３０３には、第１の鼻孔に前記ガスを送給する第１の鼻チューブ３０７が連通して接続されており、呼気室３０４には第２の鼻孔に装着されて呼気を吸引する第２の鼻チューブ３０８が連通して接続されている。チューブ３０６は図示しない炭酸ガス測定用センサに接続されており、このセンサにより吸引された呼気中の炭酸ガスの量を測定する。
【００１３】
【発明が解決しようとする課題】
図１６に示す従来の炭酸ガス濃度測定装置によると、エアウェイアダプタ１０１を必要とし、エアウェイアダプタ１０１は気管内チューブとＹピースに接続されるようになっているため、気管内チューブが挿管されていない患者に接続することは困難であり、また装置が大型化し構造が複雑で高価であった。またエアウェイアダプタ１０１は交換が必要となりランニングコストも高くなる。さらに発光素子１０３は従来は１Ｗ以上で消費電力も多く、センサ本体１０２が昇温し、直接皮膚に触れる設計にすると測定のために長時間触れることになるため、やけどを生じる危険性があった。
【００１４】
また図１７に示す検出チューブを用いる場合は、長時間使用すると呼吸気中の水分等により検出チューブが詰るという問題があった。また検出チューブは消耗品のためランニングコストが高くなる。さらに検出チューブをサンプリングチューブとして用いる場合、チューブは通常長さが２ｍ以上あるため、炭酸ガスを検出するまでに時間遅れが生じるとともに、検出の応答が遅くなり、そのため精度も悪かった。
【００１５】
また図１７に示す従来例によると、一対の鼻チューブ２０５、２０６がそれぞれ挿入される鼻孔のうち片側の鼻孔が詰ったときに、その詰った側は空気をサンプリングする結果となり、サンプリングされる呼気ガス中の炭酸ガス濃度は半分程度になって測定誤差が生じてしまう可能性がある。さらに図１８に示す従来例によると、吸気室３０３側の第１の鼻チューブ３０７が挿入される側の鼻孔が詰ったときに、治療用ガスを生体内に供給することができない。逆に呼気室３０４側の第２の鼻チューブ３０８が挿入される側の鼻孔が詰ったときに、炭酸ガスを検出することができない。
【００１６】
本発明はこのような状況に鑑みてなされたもので、一方の鼻孔が詰ったときにも炭酸ガス濃度を正確に検出することができ、しかも測定精度及び応答性を向上させることができる小型で安価なランニングコストも削減することができる呼吸気中の炭酸ガス測定用センサを提供することを目的とする。
【００１７】
【課題を解決するための手段】
上記目的を達成するために、請求項１に記載の本発明は、生体の呼吸気中の炭酸ガスの濃度または有無を測定する呼吸気中の炭酸ガス測定用センサにおいて、
筒状に形成された筒体の左右両面が開口され、上下面に前記呼吸気が通過する孔部が形成されたエアウェイケースと、前記左右両面の開口部の内外を気密に保つように該開口部に設けられた透光性の１対の薄膜と、該１対の薄膜の外側に設けられ、同一光軸上に対向配置された発光素子及び受光素子を支持する支持部材とからなり、前記エアウェイケースを前記生体の鼻孔の下部に装着したときに、前記呼吸気が前記光軸を横切って通過可能とし、一方の側は前記エアウェイケースの上面に取り付けられ他方の側は２本に分かれて前記生体の２つの鼻孔にそれぞれ挿入される鼻チューブを設け、該鼻チューブと前記エアウェイケースの内部と前記エアウェイケースの前記上下面の孔部とにより前記呼吸気が通過するＹ字状の通路を形成したことを特徴とする。
【００２８】
請求項２に記載の本発明は、前記１対の薄膜は、前記エアウェイケースの前記左右両面の開口部と１対の挟持部材との間でそれぞれ挟持され、前記支持部材は、前記発光素子及び前記受光素子をそれぞれ支持する１対の支持部材であり、該１対の支持部材は前記挟持部材の外側端部にそれぞれ嵌合されていることを特徴とする。
【００２９】
請求項３に記載の本発明は、前記薄膜は、前記呼吸気中の水分がその表面に結露することを防止する防曇膜であることを特徴とする。
【００３０】
請求項４に記載の本発明は、前記１対の前記支持部材は、前記１対の前記狹持部材に係止部材を介して着脱可能に係止されることを特徴とする。
【００３２】
請求項５に記載の本発明は、前記エアウェイケースに、口からの呼吸気を該エアウェイケース内に導入する呼吸気ガイド部を設けたことを特徴とする。
【００３５】
【発明の実施の形態】
以下、本発明の呼吸気中の炭酸ガス測定用センサの実施の形態を図面を参照して説明する。
【００３６】
図１は本発明の参考例を示す横断面図である。図１において、樹脂や金属などでほぼ円筒状に形成された支持部材としてのセンサ本体１は軸方向に３室に区分されている。３室のうち一端側には発光素子２が、反対の一端側には受光素子３が配置されており、中央部分は図中上下方向に貫通した呼吸気通路４となっている。両側の２室と呼吸気通路４との間はそれぞれ隔壁で気密に仕切られており、各隔壁の中心には開口部が形成されている。発光素子２側及び受光素子３側の開口部には光を透過する透過窓５がそれぞれ気密に設けられ、受光素子３側には炭酸ガスにより吸収される光の波長を有する光のみを透過するフィルタ６が設けられている。
【００３７】
発光素子２には電圧を供給するためのリード線７が接続されており、受光素子３には検出した信号を外部に導出するリード線８が接続されている。またリード線７、８はそれぞれソケット９、１０を介してセンサ本体１に保持されている。さらに発光素子２の背面には光を受光面に収束するための反射鏡１１が設けられている。なお発光素子２は赤外線を放射する消費電力０．３ｗ以下の小型のランプで構成されている。
【００３８】
図２に図１に示すセンサ本体１の他の構成例を示す。図２（ａ）はセンサ本体１の両端を生体の鼻孔下の顔面の形状に合わせて弯曲させた例である。この場合でも発光素子２と受光素子３とは同一光軸上に所定の距離を介してセンサ本体１に固定して保持されている。この構成例によれば、センサ本体１を生体の顔面に安定して保持することができる。
【００３９】
図２（ｂ）はセンサ本体１を直方体で構成し、軸方向の中心に切り欠れた呼吸気通路４を形成した例である。なおセンサ本体１は円筒状であってもよい。
【００４０】
図２（ｃ）はセンサ本体１のそれぞれ発光素子２及び受光素子３を保持する両端部を複数本、例えば４本の連結棒１ａで連結した例である。この構成例によれば、ほぼどの角度から呼吸気が通過しても計測可能なので、光路が呼吸気の流れに直交していればセンサ本体１の鼻孔の下に装着する際の配置の自由度が増大する。
【００４１】
次に上記のように構成されたセンサ本体１を被検者の顔の表面の鼻孔の下部に装着保持する保持手段について説明する。図３は保持手段の第１の構成例を示す斜視図である。センサ本体１の両端にはそれぞれ耳かけひも１２、１３が接続されており、耳かけひも１２、１３内にはそれぞれリード線７、８が内設されている。センサ本体１は耳かけひも１２、１３を耳１４にひっかけることにより、鼻孔１５の下部に保持される。
【００４２】
図４は保持手段の第２の構成例を示す斜視図である。図４において被検者の鼻孔１５には生体内に酸素を供給する管体であるネーザルチューブ１６が装着されている。ネーザルチューブ１６の両端には酸素を供給するチューブ１７、１８が接続されている。センサ本体１の中央部外周には外側に向って突出するＵ字状の係止部材としてのグリップ１９が一体に形成されている。
【００４３】
上記の構成により、センサ本体１のグリップ１９をネーザルチューブ１６の外周に嵌合することにより、センサ本体１を被検者の顔面の鼻孔１５の下部に装着保持することができる。このときネーザルチューブ１６のチューブ１７、１８は被検者の耳１４に掛けられている。なお図４に示すようにセンサ本体１の耳かけひも１２、１３も耳１４に掛ければ、より確実にセンサ本体１を保持することができる。この状態で鼻孔１５から排出される呼気はセンサ本体１の呼吸気通路４に導入され、センサ本体１により炭酸ガスの濃度または有無を検出することができる。
【００４４】
図４に示す構成例ではセンサ本体１の両端にそれぞれリード線７、８を内設する耳かけひも１２、１３を接続した場合について説明したが、図５に示すようにリード線７、８をまとめて１本とし、耳１４に掛けないものとしてもよい。この場合センサ本体１はグリップ１９を介してネーザルチューブ１６に保持される。
【００４５】
なお、図３に示す耳かけひも１２、１３を使用する代わりに、保持手段としてテープを用いてセンサ本体１を顔面に保持させてもよい。
【００４６】
また、図６に示す斜視図のように、センサ本体１に形成された呼吸気通路４の外周を、一対の鼻チューブ３１を有する半円筒状のアダプタ３２で被覆し、鼻チューブ３１を鼻孔１５に挿入するようにしてもよい。この場合、図７（ａ）に示す分解斜視図のように、鼻チュ−ブ３１はアダプタ３２の内側に導通しており、鼻からの呼吸気はセンサ本体１の呼吸気通路４に導かれる。なお、一対の鼻チューブ３１の形状は、図７（ａ）に示すように独立していてもよく、図７（ｂ）に示すようにＶ字形でもよく、図７（ｃ）に示すようにＵ字形でもよい。また、図７（ｄ）に示す斜視図のように、アダプタ３２をほぼ円筒状とし、図７（ｅ）に示す斜視図のようにセンサ本体１の呼吸気通路４に差し込むようにしてもよい。この場合、アダプタ３２の底部には呼吸気が流通する開口部３２ａが形成されている。
【００４７】
図８の斜視図に、センサ本体１を顔面に装着された酸素マスク２０の内面に装着保持した例を示す。図８において、酸素マスク２０はバンド２１を介して耳１４に掛けられている。酸素マスク２０内には鼻孔１５の下部両側に対向する位置に、左右一対の環状のアダプタ２２が固定されており、アダプタ２２は連結棒２３で連結されている。そしてセンサ本体１に設けられたグリップ１９が連結棒２３に嵌合することにより、センサ本体１は酸素マスク２０内に装着保持される。このときセンサ本体１に接続された耳かけひも１２、１３も耳１４に掛けておく。
【００４８】
本構成例においても、図３に示した第１の構成例と同様の作用効果を得ることができる。
【００４９】
図９は保持手段の第４の構成例を示す斜視図である。本構成例はセンサ本体１を顔面に装着された酸素マスク２０の外面に装着保持した例である。図９において、酸素マスク２０の外面の呼吸気孔の位置に、環状のアダプタ２４を介してセンサ本体１が固定されている。そして酸素マスク２０から呼気される呼吸気中の炭酸ガスをセンサ本体１により測定する。
【００５０】
本構成例においても、図３に示した第１の構成例と同様の作用効果を得ることができる。
【００５１】
図１０はセンサ本体１の呼吸気通路４の入口側に、呼気を呼吸気通路４に導入する呼吸気ガイド部２５を設けた例を示す一部断面正面図である。呼吸気ガイド部２５は顔面の鼻下に密着可能なジョーゴ形をしている。
【００５２】
本構成例によれば、呼気を確実にセンサ本体１の呼吸気通路４に導入することができ、一対の鼻孔１５のうち一方に鼻詰りなどがあっても、確実に、呼吸気中の炭酸ガスを検出することができる。
【００５３】
図１１は呼吸気ガイド部の他の構成例を示す斜視図である。本構成例では鼻呼吸気ガイド部２６と口呼吸気ガイド部２７とを有し、センサ本体１の呼吸気通路４の外周に固定されている。鼻呼吸気ガイド部２６は漏斗形をしており、中央両辺に切れ込み２６ａが形成されていて、鼻を挿入できるようになっている。なお、この切れ込み２６ａは生体側にのみ形成され、反対側には切れ込みはなくてもよい。さらに鼻呼吸気ガイド部２６の高さによっては両側の切れ込み２６ａはなくてもよい。
【００５４】
口呼吸気ガイド部２７はセンサ本体１を顔面に装着したときに口に対向する位置になるように構成されており、口に向って湾曲する板状となっている。なお鼻呼吸気ガイド部２６と口呼吸気ガイド部２７とはいずれか一方のみであってもよい。
【００５５】
図１２乃至図１５に本発明の実施の形態の構成例を示す。図１２は横断面図、図１３は縦断面図、図１４は分解斜視図、図１５は要部組立斜視図である。これらの図において、角筒状に形成された筒体であるエアウェイケース４１の左右両面は開口されており、上面には後述する鼻チューブ４２のアダプタ４３（環状薄板状）が取り付けられるアダプタ受部４１ｄが設けられて丸孔４１ａが形成され、下面には矩形状の換気孔４１ｂがそれぞれ形成されている。上面に形成されたアダプタ受部４１ｄには鼻チューブ４２のアダプタ４３が嵌合装着されている。鼻チューブ４２は、シリコーンゴムなどの柔軟性を有する材質で形成されており、鼻に挿入され呼気を導く２本のチューブが立設されている。鼻チューブ４２の下端はエアウェイケース４１内に連通されている。
【００５６】
エアウェイケース４１の左右両端面には、それぞれ薄膜である防曇膜４４が配置されている。また防曇膜４４の外側にはそれぞれ狹持部材としての防曇膜ケース４５が配置されており、防曇膜ケース４５の一方の側の外周にはエアウェイケース４１の端面内周に嵌合する段差部４５ａが形成されている。そして防曇膜ケース４５により防曇膜４４をエアウェイケース４１の両端面にそれぞれ押し付け、段差部４５ａを端面内周に嵌合させることにより、防曇膜４４をエアウェイケース４１に気密に固定することができる。またエアウェイケース４１の一方の側面には、後述する口呼吸ガイドを係止するフック４１ｃが設けられている。
【００５７】
防曇膜ケース４５の両側には段差部４５ａ対して反対側に突出するアーム４５ｂが一体に設けられており、アーム４５ｂの先端近傍には係止孔４５c が形成されている。また防曇膜ケース４５の下面中心には、アーム４５ｂと同じ方向に開くＶ字形の切り欠け４５ｄが形成されている。
【００５８】
１対の防曇膜ケース４５の外側にはそれぞれ発光部４６と受光部４７とが着脱可能に装備される。発光部４６は発光素子４８、反射鏡４９、サファイアからなる窓部５０を同軸上に収納する支持部材としての角筒状の発光部ケース５１からなる。また受光部４７は、受光素子５２、サファイアからなる窓部５３を同軸上に収納する支持部材としての角筒状の受光部ケース５４からなる。発光素子４８、受光素子５２にそれぞれ授続されたリード線５５、５６は、それぞれソケット５７、５８を介してケース５１、５４の外部に導出される。
【００５９】
発光部ケース５１の両側面にはそれぞれフック５１ａが設けられ、上面には突起５１ｂが設けられており、発光部ケース５１を防曇膜ケース４５のアーム４５ｂ間に挿入したときに、フック５１ａがアーム４５ｂに形成された係止孔４５ｃに係含して固定される。上面に設けられた突起５１ｂは防曇膜ケース４５の上端面に当授し位置決めされる。また発光部ケース５１の下面に三角柱状の突起５１ｃが設けられており、組立時に防曇膜ケース４５の下端面に形成された切り欠き４５ｄに嵌合し位置決めされる（図１４の右上の円内に防曇膜ケース４５の手前側のアーム４５ｂを切り欠いて切り欠け４５ｄが見えるようにした図を示す）。受光部ケース５４にも同様の作用を有するフック５４ａ、突起５４ｂ、５４ｃが設けられている。
【００６０】
エアウェイケース４１の一方の側面には口呼吸気ガイド５９が着脱可能に取り付けられている。口呼吸気ガイド５９は伸縮性のあるポリプロプレンなどで杓子状に形成されている。口呼吸気ガイド５９の上部にはエアウェイケース４１に設けられたフック４１ｃが嵌合する孔５９ａが形成されている。
【００６１】
本実施の形態によれば、発光部ケース５１及び受光部ケース５４をエアウェイケース４１に対して着脱可能としたので、サファイアで構成された窓部５０、５３のケース５１、５４に対する接着が容易となり、生産性が向上する。またエアウェイケース４１の清掃も容易となる。
【００６２】
なお、上記構成例ではエアウェイケース４１に鼻チューブ４２、アダプタ受部４１ｄを省略し、直接呼吸気をエアウェイケース４１内に導入してもよい。また口呼吸気ガイド５９も必要がなければ省略してもよい。
【００６３】
【発明の効果】
以上説明したように、本発明の呼吸気中の炭酸ガス測定用センサによれば、センサの小型化、低コスト化を図ることができる。また測定の精度や応答性が向上する。さらに発光素子の電力を小さくしたので昇温が少くなり、やけどの危険性がなくなる。
【図面の簡単な説明】
【図１】  本発明の参考例の炭酸ガス測定用センサのセンサ本体の例を示す横断面図。
【図２】図１のセンサ本体の構成の外観を示す斜視図であり、（ａ）は１つの構成例の外観を示す斜視図、（ｂ）は他の構成例の外観を示す斜視図、（ｃ）はさらに他の構成例の外観を示す斜視図。
【図３】図１のセンサ本体を耳かけひもを介して耳に装着した状態を示す斜視図。
【図４】図１のセンサ本体をネーザルチューブに装着した状態を示す斜視図。
【図５】図４に示す耳かけひもに内設されるリード線をセンサ本体の片側にまとめた状態を示す斜視図。
【図６】図３に示すセンサ本体の外周に鼻チューブを有するアダプタを装着した状態を示す斜視図。
【図７】図６のセンサ本体の要部の構成及び他の構成例及び、組み付けの状態を示す図であり、（ａ）はセンサ本体の要部分解斜視図、（ｂ）は鼻チューブの他の形状例を示す正面図、（ｃ）は鼻チューブの他の形状例を示す正面図、（ｄ）はアダプタの他の構成例を示す斜視図、（ｅ）は（ｄ）に示すアダプタをセンサ本体に差し込んだ状態を示す斜視図。
【図８】  センサ本体を酸素マスクの内面に装着保持した例を示す斜視図。
【図９】図１のセンサ本体を酸素マスクの外面に装着した状態を示す斜視図。
【図１０】図１のセンサ本体の呼吸気通路入口に呼吸気導入ガイドを設けた状態を示す一部断面正面図
【図１１】図１０の呼吸気導入ガイドに鼻呼吸気ガイド部と口呼吸気ガイド部とを設けた状態を示す斜視図。
【図１２】  本発明の実施の形態の構成例を示す横断面図。
【図１３】図１２の縦断面図。
【図１４】図１２の分解斜視図。
【図１５】図１４の要部組立斜視図。
【図１６】従来の炭酸ガス濃度測定装置の一例の概略構成を示す説明図。
【図１７】従来のネザールチューブの一例の構成を示す縦断面図。
【図１８】従来のネザールチューブの他の一例の構成を示す斜視図。
【符号の説明】
１  センサ本体（支持部材）          ２  発光素子
３  受光素子                        ４  呼吸気通路
７、８  リード線                    １２、１３  耳かけひも
１４  耳                            １５  鼻孔
１６  ネーザルチューブ（管体）      １９  グリップ（係止部材）
２０  酸素マスク                    ２５  呼吸気ガイド部
２６  鼻呼吸気ガイド部              ２７  口呼吸気ガイド部
３１  鼻チューブ                    ３２  アダプタ
４１  エアウェイケース（筒体）      ４１ａ、４１ｂ孔
４２  鼻チューブ                    ４３  アダプタ
４４  防曇膜（薄膜）                ４５  防曇膜ケース（狭持部材）
５１  発光部ケース（支持部材）      ５４  受光部ケース（支持部材）
５９  口呼吸気ガイド
【図１】
0003924638.tif 000002
【図２】
0003924638.tif 000003
【図３】
0003924638.tif 000004
【図４】
0003924638.tif 000005
【図５】
0003924638.tif 000006
【図６】
0003924638.tif 000007
【図７】
0003924638.tif 000008
【図８】
0003924638.tif 000009
【図９】
0003924638.tif 000010
【図１０】
0003924638.tif 000011
【図１１】
0003924638.tif 000012
【図１２】
0003924638.tif 000013
【図１３】
0003924638.tif 000014
【図１４】
0003924638.tif 000015
【図１５】
0003924638.tif 000016
【図１６】
0003924638.tif 000017
【図１７】
0003924638.tif 000018
【図１８】
0003924638.tif 000019